(57)【要約】【課題】ライトワンス・メモリを装着した場合に、必要な画像情報を効率的に記憶可能な電子カメラを提供する。【解決手段】メモリカード９が、フラッシュ・メモリである場合には、撮影時の処理として、１コマ撮影する毎に順次処理しメモリカード９に書き込んでゆくことで、処理の迅速性を確保すると共に、メモリカード９が、ライトワンス・メモリである場合には、撮影された全てのコマの処理が完了するまでメモリ６に記憶し、その後メモリカード９に記憶することで、効率的に利用できる。【選択図】    図３
2004187183.tif 000002
【特許請求の範囲】
【請求項１】
光学像を画像情報に変換して取得する撮像部と、
前記撮像部によって取得された画像情報を記憶し読み出し上書可能な第１のメモリと、
前記第１のメモリとは別体の第２のメモリを装着可能となっている電子カメラにおいて、
装着された第２のメモリの種類を判別する判別手段を有し、
装着された第２のメモリが画像情報を記憶しその読み出しを許容するが上書不能な種類のメモリであると、前記判別手段が判別した場合には、前記撮像部によって取得された画像情報を前記第１のメモリに記憶した後、前記第２のメモリに当該画像情報を記憶する際に、前記種類の第２のメモリが装着された場合と異なるタイミングで、当該画像情報を前記第２のメモリに記憶することを特徴とする電子カメラ。
【請求項２】
装着された第２のメモリが画像情報を記憶しその読み出しを許容するが上書不能となっているものであると、前記判別手段が判別した場合には、１回のレリーズに応じて撮影される複数枚の画像に関する画像情報を、全て前記第１のメモリに記憶した後、前記第２のメモリに記憶することを特徴とする請求項１に記載の電子カメラ。
【請求項３】
１回のレリーズに応じて撮影される複数枚の画像に関する画像情報は、前記第１のメモリに記憶された後、操作スイッチの操作に応じて、前記第２のメモリに記憶されることを特徴とする請求項２に記載の電子カメラ。
【請求項４】
装着された第２のメモリが画像情報を記憶しその読み出しを許容するが上書不能となっているものであると、前記判別手段が判別した場合には、１回のレリーズに応じて撮影される複数枚の画像の最大撮影枚数を制限することを特徴とする請求項１乃至３のいずれかに記載の電子カメラ。
【請求項５】
装着された第２のメモリが画像情報を記憶しその読み出しを許容するが上書不能となっているものであると、前記判別手段が判別した場合には、１回のレリーズに応じて撮影される複数枚の画像に関する画像情報の最大容量を制限することを特徴とする請求項１乃至４のいずれかに記載の電子カメラ。
【請求項６】
１回のレリーズに応じて撮影される複数枚の画像とは、動画にかかる画像であることを特徴とする請求項１乃至５のいずれかに記載の電子カメラ。
【請求項７】
１回のレリーズに応じて撮影される複数枚の画像とは、連写撮影にかかる画像であることを特徴とする請求項１乃至５のいずれかに記載の電子カメラ。
【発明の詳細な説明】
【０００１】
【発明の属する技術分野】
本発明は、電子カメラに関し、特に画像情報を記憶し読み出しを許容するが消去不能なメモリを装着可能となっている電子カメラに関する。
【０００２】
【従来の技術】
電子技術の向上に伴い、撮像（撮影ともいう）した画像をデジタルデータに変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
かかる電子カメラは、メモリカードなどの記憶媒体を装着可能となっており、装着されたメモリカードには、その記憶容量分だけ、撮影によって取得した画像情報を記憶できるようになっている。又、メモリカードの記憶残量が少なくなった場合には、不要な画像情報を消去することで、新たな画像情報を記憶できるようになっている。しかるに、メモリーカードは画像情報の記憶と消去を任意に行えるものであるから、電子カメラには非常に有効なものだが、一般的には高価であるという問題がある。
【０００４】
これに対し、近年、ライトワンスと呼ばれるメモリが開発されるに至った。ライトワンス・メモリは、画像情報を記憶しその読み出しを許容するが上書不能となっているメモリであり、その構成上、比較的安価である。従って、ライトワンス・メモリを電子カメラの記憶手段として用いることができれば、ユーザーの負担が減少するので好ましい。ライトワンス・メモリに関しては、以下のＵＲＬのホームページに詳細に記載されている。
【非特許文献】
ＵＲＬ  ｈｔｔｐ：／／ｗｗｗ．ｍａｔｒｉｘｓｅｍｉ．ｃｏｍ／
【０００５】
【発明が課題を解決しようとする課題】
ところで、近年、電子カメラの処理速度が向上し、１回のレリーズで複数枚の画像を撮影できる、いわゆる動画撮影機能を有するものが増えてきた。ここで、動画撮影時の処理としては、撮影された全てのコマを一括処理してバッファメモリに保存し、その後メモリカードに保存する手法と、１コマ撮影する毎に順次処理しメモリカードに書き込んでゆく手法とが存在する。前者の手法は、撮影開始からメモリカードへの書き込みに時間がかかるという問題があるため、処理時間の効率化という観点からは、後者の手法が望ましい。ところが、メモリカードとしてライトワンス・メモリを用いた場合には、例えば動画撮影中に撮影者が撮影失敗に気づいて撮影を中断しても、その時点で既にライトワンス・メモリに画像情報が記憶されていれば、その分ライトワンス・メモリの残り記憶容量が低下し、メモリの有効活用が図れないという問題がある。
【０００６】
本発明は、かかる従来技術の問題点に鑑みてなされたものであり、ライトワンス・メモリを装着した場合に、必要な画像情報を効率的に記憶可能な電子カメラを提供することを目的とする。
【０００７】
【課題を解決するための手段】
上述の目的を達成すべく、第１の本発明の電子カメラは、光学像を画像情報に変換して取得する撮像部と、前記撮像部によって取得された画像情報を記憶し読み出し上書可能な第１のメモリと、前記第１のメモリとは別体の第２のメモリを装着可能となっている電子カメラにおいて、装着された第２のメモリの種類を判別する判別手段を有し、装着された第２のメモリが画像情報を記憶しその読み出しを許容するが上書不能な種類のメモリであると、前記判別手段が判別した場合には、前記撮像部によって取得された画像情報を前記第１のメモリに記憶した後、前記第２のメモリに当該画像情報を記憶する際に、前記種類の第２のメモリが装着された場合と異なるタイミングで、当該画像情報を前記第２のメモリに記憶するので、処理の効率化とメモリの有効利用の両立化を図れる。より具体的には、例えば、前記第２のメモリが、画像情報を記憶し読み出し上書可能なものである場合には、動画撮影時の処理として、１コマ撮影する毎に順次処理し前記第２のメモリに書き込んでゆくことで、処理の迅速性を確保すると共に、前記第２のメモリが、画像情報を記憶しその読み出しを許容するが消去不能となっている、いわゆるライトワンス・メモリである場合には、撮影された全てのコマの処理が完了するまで前記第１のメモリに記憶し、その後第２のメモリに記憶（すなわち異なるタイミングで記憶）することで、前記第２のメモリを効率的に利用できる。
【０００８】
すなわち、装着された第２のメモリが画像情報を記憶しその読み出しを許容するが上書不能となっているものであると、前記判別手段が判別した場合には、１回のレリーズに応じて撮影される複数枚の画像に関する画像情報を、全て前記第１のメモリに記憶した後、前記第２のメモリに記憶することで、例えば動画撮影中に撮影者が撮影失敗に気づいて撮影を中断すると、その時点でまだライトワンス・メモリに画像情報が記憶されていないので、その分ライトワンス・メモリの残り記憶容量が確保でき、その有効活用を図れるのである。
【０００９】
更に、１回のレリーズに応じて撮影される複数枚の画像に関する画像情報は、前記第１のメモリに記憶された後、操作スイッチの操作に応じて、前記第２のメモリに記憶されると、操作者の意思が尊重されるので好ましい。
【００１０】
又、装着された第２のメモリが画像情報を記憶しその読み出しを許容するが上書不能となっているものであると、前記判別手段が判別した場合には、１回のレリーズに応じて撮影される複数枚の画像の最大撮影枚数を制限すると、前記第２のメモリがライトワンス・メモリであるような場合に、その残り容量を確保することができる。
【００１１】
更に、装着された第２のメモリが画像情報を記憶しその読み出しを許容するが上書不能となっているものであると、前記判別手段が判別した場合には、１回のレリーズに応じて撮影される複数枚の画像に関する画像情報の最大容量を制限すると、前記第２のメモリがライトワンス・メモリであるような場合に、その残り容量を確保することができる。
【００１２】
又、１回のレリーズに応じて撮影される複数枚の画像とは、動画にかかる画像であると好ましいが、連写撮影にかかる画像であってもよい。
【００１３】
【発明の実施の形態】
以下、図面を参照して本発明の実施の形態にかかるカメラを詳細に説明する。図１は、本発明を適用した電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１４】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。閃光発光部は、ポップアップタイプのため図示されていない。又、図１では図示していないが、デジタルスチルカメラ１００の底部には、メモリカードを装着するためのメモリスロットが設けられている。尚、ＣＰＵ１１が判別手段を構成する。
【００１５】
図２は、デジタルスチルカメラ１００の機能的構成を示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、本実施の形態では第１のメモリであるメモリ６、Ｄ／Ａ変換回路７、画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、ＥＥＰＲＯＭ２０、ズームスイッチであるズームスイッチＳＴを含む操作ＳＷ２１、閃光発光部２２、補助光発光手段である補助光発光部３０（ＡＦ用の補助光発光部や赤目軽減ランプと兼用できる）、スイッチング回路２３とから構成される。尚、デジタルスチルカメラ１００は、第２のメモリであるメモリカード９を装着可能となっている。かかるメモリカード９としては、装着した状態で、画像情報を記憶し且つ記憶した画像情報を読み出し可能であるが、その消去は不可能となっているライトワンス・メモリと、装着した状態で、画像情報を記憶し且つ記憶した画像情報を読み出し且つ上書可能となっているフラッシュ・メモリ等がある。
【００１６】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ  Ｃｏｕｐｌｅｄ  Ｄｅｖｉｃｅ）３により構成され、光電変換された画像信号（アナログ信号）を撮像回路４ヘ出力する。すなわち、撮像部２４は、撮像部としての機能を有する。
【００１７】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００１８】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報に対してメモリカード９に出力する。
【００１９】
画像表示部（表示部ともいう）８は、ＴＦＴ（Ｔｈｉｎ  Ｆｉｌｍ  Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００２０】
第２のメモリであるメモリカード９は、半導体メモリ等からなり、圧縮伸長回路１０から入力された画像情報を記憶する画像情報記憶領域を有する記憶媒体である。
【００２１】
また、メモリカード９は、ＣＰＵ１１より画像読み出し指示を受けると、圧縮伸長回路１０に読み出し指示された画像情報を出力し、圧縮伸長回路１０は、入力された画像情報の伸長処理を行ってメモリ６に出力する。
【００２２】
圧縮伸長回路１０は、メモリ６から入力された画像情報を所定の符号化方式で圧縮する圧縮回路と、読み出し指示された画像情報を画面表示するためにメモリ・カード９から入力された画像情報を復号化して伸長する伸長回路と、からなる。すなわち、圧縮伸長回路１０は、圧縮手段としての機能を有する。
【００２３】
ＣＰＵ（Ｃｅｎｔｒａｌ  Ｐｒｏｃｅｓｓｉｎｇ  Ｕｎｉｔ）１１は、ＥＥＰＲＯＭ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２４】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、メモリカード９に出力する。
【００２５】
ＴＧ（Ｔｉｍｉｎｇ  Ｇｅｎｅｒａｔｏｒ）１２は、所定のタイミング信号を発生して撮像回路４、ＣＰＵ１１、ＣＣＤドライバ１４に出力する。
【００２６】
ＡＥ（Ａｕｔｏ  Ｅｘｐｏｓｕｒｅ：自動露光制御）・ＡＦ（Ａｕｔｏ  Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２７】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２８】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２９】
ここで、ＣＰＵ１１、ＡＦ処理回路によるＡＦ処理について説明する。ＣＰＵ１１は、駆動手段である光学系駆動モータ駆動回路１８を駆動制御してレンズユニット１の第２レンズ群を移動させながら各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００３０】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００３１】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は、後述のごとく移動する。
【００３２】
電池１９は、デジタルスチルカメラ１００の各構成部に電力を供給する電力源であり、例えば、リチウム電池やアルカリ乾電池等が適用される。
【００３３】
フラッシュメモリでも良いＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２０は、デジタルスチルカメラ１００の撮像に関る各種アプリケーションプログラム、処理プログラム等を記憶する。
【００３４】
操作ＳＷ（スイッチ）２１は、レリーズスイッチ２１ａや、後述するモード設定ボタン２１ｂ、選択ボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３５】
閃光発光部２２は、撮影時に検出された周囲環境の輝度が不足する場合に、被写体にストロボ光を発光する発光部であり、スイッチング回路２３によりその発光タイミングや発光量等が制御される。
【００３６】
次に、本実施の形態にかかるデジタルスチルカメラ１００の動作について、図面を参照して説明する。図３は、デジタルカメラ１００の動作の制御を示すフローチャートである。図４は、画像表示部８における画像表示例を示す図である。尚、図３に示すフローチャートでは、デジタルスチルカメラ１００をモニターとして使用する、いわゆる画像表示モードについては省略している。
【００３７】
まず、図３のステップＳ１０１において、電源スイッチ（不図示）がオンとなっていれば、ステップＳ１０２で、ＣＰＵ１１は撮影モード判定を行う。すなわちユーザーによる操作スイッチ２１のモード設定ボタン２１ｂの操作に応じて静止画撮影モードが設定されていると判断した場合、ＣＰＵ１１は、ステップＳ１０３で、第１段のレリーズスイッチ２１ａの押下信号（Ｓ１信号）が入力されるのを待つ。ここで、第１段のレリーズスイッチ２１ａの押下信号（Ｓ１信号）が入力されたと判断すれば、ＣＰＵ１１は、ステップＳ１０４で、ＡＥ処理を行って適切な合焦を行い且つ露光条件を決定し、更にステップＳ１０５で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１０６で、ＡＦ処理を行ってレンズユニット１を合焦位置へと駆動し、ステップＳ１０７でＣＣＤ３を介して画像信号をメモリ６に取り込んで画像処理を行い画像情報を取得し、それに基づきステップＳ１０８で、メモリカード９に画像情報を記憶する。その後フローはステップＳ１０１へと戻る。
【００３８】
一方、ステップＳ１０２で、ＣＰＵ１１が、ユーザーによる操作スイッチ２１のモード設定ボタン２１ｂの操作に応じて動画撮影モードが設定されていると判断した場合、判別手段であるＣＰＵ１１は、ステップＳ１０９で、装着されているメモリカード９が、ライトワンス・メモリか否かを判別する。ライトワンス・メモリかどうかは、例えばメモリカード９の記憶領域における特定の領域に、ライトワンス・メモリ固有の情報を予め書き込んでおくことで、その特定の領域をサーチして固有の情報があるかないかで判別できる。それ以外にも、ライトワンス・メモリは、突起を設けるなど特有の形状とし、それを機械的に検出することも考えられる。
【００３９】
ＣＰＵ１１が、装着されているメモリカード９は、ライトワンス・メモリでなくフラッシュ・メモリ等と判断した場合、動画に関する画像情報（複数枚の画像にかかる画像情報）を記憶しても任意に消去できることになるから、フローはステップＳ１０３へと移行し、静止画撮影モードと同様に、上述した処理を実行する。但し、動画撮影時には、１コマ撮影する毎に順次処理しメモリカード９に直接書き込んでゆくので、処理の迅速性が確保される。これに対し、ＣＰＵ１１が、装着されているメモリカード９は、ライトワンス・メモリであると判断した場合、動画に関する画像情報を任意に消去できないことから、以下の処理を行う。
【００４０】
ステップＳ１１０で、ＣＰＵ１１は、第１段のレリーズスイッチ２１ａの押下信号（Ｓ１信号）が入力されるのを待つ。ここで、第１段のレリーズスイッチ２１ａの押下信号（Ｓ１信号）が入力されたと判断すれば、ＣＰＵ１１は、ステップＳ１１１で、ＡＥ処理を行って適切な合焦を行い且つ露光条件を決定し、更にステップＳ１１２で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１１３で、ＡＦ処理を行ってレンズユニット１を合焦位置へと駆動し、ステップＳ１１４でＣＣＤ３を介して画像信号を１コマづつメモリ６に取り込んで画像処理を行い画像情報を取得し、ステップＳ１１５で、メモリ６に順次画像情報を記憶する。尚、かかるステップは、図では別個に表示されているが、実際は画像情報の取得と記憶とは、並行して行われる。
【００４１】
メモリ６に、動画に関する一連の画像情報の記憶が完了したら、ＣＰＵ１１は、ステップＳ１１６で、メモリ６から画像情報を読み出して、画像表示部８に動画として表示する。この際に、ＣＰＵ１１は、画像情報の容量を検出してそれに対応する文字情報Ｃ１と、「メモリカードに転送しますか？」という文字情報Ｃ２とを合わせて表示する（図４参照）。
【００４２】
このときユーザーが表示された動画を見て、記憶するまでもないと思えば、操作スイッチ２１のキャンセルボタン２１ｃを操作することができ、それにより、ＣＰＵ１１は、ステップＳ１１７で記憶不要と判断して、ステップＳ１１８でメモリ６内に記憶された画像情報を消去する。それに対し、ユーザーが表示された動画を見て、記憶を所望すれば、操作スイッチ２１の記憶決定ボタン２１ｄを操作することができ、それにより、ＣＰＵ１１は、ステップＳ１１７で記憶要と判断して、ステップＳ１１９でメモリ６からメモリカード９へと画像情報を転送する（メモリ６内の画像情報の消去を含む）。その後フローはステップＳ１０１へと戻る。
【００４３】
以上、本発明を実施の形態を参照して説明してきたが、本発明は上記実施の形態に限定して解釈されるべきではなく、適宜変更・改良が可能であることはもちろんである。例えば、ＣＰＵ１１は、装着されたメモリカード９がライトワンス・メモリであると判別した場合、動画の撮影時に、その最大撮影枚数又は最大容量を所定値以下に制限することで、画像情報を消去不能なライトワンス・メモリの記憶容量を有効に活用することができる。更に電子カメラとは、デジタルスチルカメラに限らずデジタルビデオカメラも含むものである。
【００４４】
【発明の効果】
本発明によれば、ライトワンス・メモリを用いた場合に、必要な画像情報を効率的に記憶可能な電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態にかかるデジタルスチルカメラで実行される処理を説明するフローチャートである。
【図４】画像表示部８の表示例を示す図である。
【符号の説明】
８  画像表示部
１１  ＣＰＵ
２１  操作スイッチ
１００  デジタルスチルカメラ
【図１】
2004187183.tif 000003
【図２】
2004187183.tif 000004
【図３】
2004187183.tif 000005
【図４】
2004187183.tif 000006